(57)【要約】【課題】容易に中蓋を開放することができるにもかかわらず、従来よりも簡易な構成で容易に製造できる化粧料容器を得る。【解決手段】容器本体１は、側壁４に囲まれ、中皿３を収容する収容凹部５と、側壁６に囲まれ、化粧用パフ７を収容する収容凹部８とを有しているものである。中蓋１０の蝶着部９に相対する縁部１２の先端内部側には、中皿３の縁部に形成された係止部に係止することが可能なフックが設けられている。また、中蓋１０の蝶着部９に相対する縁部１２には、操作片１３が薄肉部１４周りに揺動可能に設けられている。操作片１３には、中蓋１０が閉じられている際、先端部を容器本体１内側の底部（収容凹部８の底部）に当接させた状態で操作片１３を支持するつっかえ部１５が突設されている。【選択図】図２
2010166958.tif 000002
【特許請求の範囲】
【請求項１】
化粧料を充填した中皿と、前記中皿に開閉自在に蝶着され、前記中皿を気密状態に維持する中蓋と、側壁に囲まれ、前記中皿を収容する収容凹部を有した容器本体と、前記容器本体を蓋する蓋体と、前記中蓋における前記中皿に蝶着された部位に相対する縁部において揺動可能に繋がっている操作片とを備えている化粧料容器であって、
前記中蓋が閉じられている際、先端部が前記容器本体内側の底部と当接して前記操作片を支持するように、前記操作片から前記容器本体の底部に向けてつっかえ部が突設されていることを特徴とする化粧料容器。
【請求項２】
前記操作片の先端部に、前記縁部の外側方向に突出したつば部を有していることを特徴とする請求項１に記載の化粧料容器。
【請求項３】
前記つっかえ部が、可撓性部材からなることを特徴とする請求項１又は２に記載の化粧料容器。
【発明の詳細な説明】
【技術分野】
【０００１】
本発明は、化粧料を充填した中皿を収容する化粧料容器に関する。
【背景技術】
【０００２】
従来から、化粧料が充填された中皿を内部に収容してなる化粧料容器が開発され、販売されている。このような化粧料容器としては、例えば、容器本体の蓋体が不用意に開放されても、該開放のみに起因して前記中皿を気密状態に維持する中蓋が開放されてしまわないように工夫されたものが公知となっている（下記特許文献１〜３参照）。
【先行技術文献】
【特許文献】
【０００３】
【特許文献１】特開２００８−２１２２２９号公報
【特許文献２】特開２００８−２１２２４４号公報
【特許文献３】特開２００８−２５３２８２号公報
【発明の概要】
【発明が解決しようとする課題】
【０００４】
しかしながら、上記特許文献１〜３のものは、容易に前記中蓋を開放することができるものの、前記中蓋の開放を行う開放機構が複雑なものとなっており、容易に製造できるものではなかった。
【０００５】
そこで、本発明の目的は、容易に前記中蓋を開放することができるにもかかわらず、従来よりも簡易な構成で容易に製造できる化粧料容器を得ることである。
【課題を解決するための手段】
【０００６】
（１）本発明の化粧料容器は、化粧料を充填した中皿と、前記中皿に開閉自在に蝶着され、前記中皿を気密状態に維持する中蓋と、側壁に囲まれ、前記中皿を収容する収容凹部を有した容器本体と、前記容器本体を蓋する蓋体と、前記中蓋における前記中皿に蝶着された部位に相対する縁部において揺動可能に繋がっている操作片とを備えている化粧料容器であって、前記中蓋が閉じられている際、先端部が前記容器本体内側の底部と当接して前記操作片を支持するように、前記操作片から前記容器本体の底部に向けてつっかえ部が突設されているものである。
【０００７】
上記（１）の構成によれば、前記つっかえ部と前記容器本体内側の底部とが接している位置を支点として、前記中蓋を押し上げることができるので、容易に前記中蓋を開放できる化粧料容器を提供できる。また、従来よりも簡易な構成であるので、より容易に製造できる化粧料容器を提供できる。
【０００８】
（２）  上記（１）の化粧料容器においては、前記操作片の先端部に、前記縁部の外側方向に突出したつば部を有していることが好ましい。
【０００９】
上記（２）の構成によれば、前記操作片を操作する際、力を加える位置である力点としてつば部を利用できるので、前記操作片を容易に揺動させることができる。その結果として、より容易に前記中蓋を開放することができる。
【００１０】
（３）  上記（１）又は（２）の化粧料容器においては、前記つっかえ部が、可撓性部材からなることが好ましい。
【００１１】
上記（３）の構成によれば、前記つっかえ部が撓むように前記操作片を揺動させることにより、前記つっかえ部に反発力を発生させることができる。したがって、前記反発力を利用して前記中蓋を押し上げることができるので、さらに容易に前記中蓋を開放することができる。
【図面の簡単な説明】
【００１２】
【図１】本発明の実施形態に係る化粧料容器を示す平面図であり、蓋体を取り外した状態のものである。
【図２】図１に示した化粧料容器のＡ−Ａ矢視断面図であって、蓋体も含めて表したものである。
【図３】図１に示した化粧料容器のＢ−Ｂ矢視断面図であって、蓋体も含めて表したものである。
【図４】図２に示した化粧料容器の要部拡大断面図である。
【図５】図４に示した状態から中蓋を開放した状態を示した断面図である。
【図６】本発明の実施形態の変形例に係る化粧料容器の要部拡大断面図である。
【発明を実施するための形態】
【００１３】
以下、図１〜図５を参照して、本発明の実施形態に係る化粧料容器を説明する。
【００１４】
図１〜図３に示すように、化粧料容器１００は、容器本体１と、蓋体２（図１には図示せず）と、化粧料（図示せず）を充填した中皿３とを備えている。
【００１５】
容器本体１は、側壁４に囲まれ、中皿３を収容する収容凹部５と、側壁６に囲まれ、化粧用パフ７を収容する収容凹部８とを有しているものである。
【００１６】
収容凹部５の側壁４には、中皿に設けられた凹型に陥没した係止部（図示せず）を固定係止するためのフック部４ａ、４ｂ、４ｃ、４ｄが突設されている。また、収容凹部５の底部には、蓋体２の開放時に、フック部４ａ、４ｂ、４ｃ、４ｄに固定係止されている中皿３を指で押し出して取り外すことができるように、孔１ａが形成されている。
【００１７】
収容凹部８の底部には、外部と連通している複数の孔１ｂが設けられている。なお、孔１ｂは、化粧用パフ７の湿気を低下させるために、すなわち通気性を高めるために形成されている。
【００１８】
蓋体２は、枢軸１６を介して容器本体１に開閉自在に蝶着されている。また、蓋体２の内側には、蓋体２の内側形状に沿って略長方形平面を有した鏡１７が設けられている。
【００１９】
容器本体１の前面には、フックピース１８が設けられており、フックピース１８を押すことにより（図３矢印参照）、蓋体２の前面に設けられたフック（係合爪）２ａと係止部１８ａとの係止を解除することができる。フック（係合爪）２ａと係止部１８ａとの係止の解除後、枢軸１６を軸として蓋体２の前面を係止部１８ａから遠ざける方向に回転させることにより、化粧料容器１００の開動作を行うことができる。また、化粧料容器１００の閉動作を行う場合には、枢軸１６を軸として蓋体２の前面を係止部１８ａに近づけるように回転させ、フック（係合爪）２ａを係止部１８ａに係止させればよい。
【００２０】
なお、フックピース１８が図３矢印方向に押された後、元の位置に自動的に戻るように、弾性部材１９がフックピース１８と容器本体１との間に設けられている。弾性部材１９は、例えば、バネ又はゴムなどからなる。
【００２１】
図２に示したように、中皿３には、蝶着部９における枢軸９ａを介して、樹脂製の中蓋１０が開閉自在に蝶着されており、中蓋１０の内側には、固定部材１１ａによって固定された環状のシール部材１１ｂが設けられている。シール部材１１ｂはゴム又はエラストマー等の軟質部材からなっており、中蓋１０が中皿３に当接した際に弾性変形して、中皿３を気密状態に保持できるようになっている。
【００２２】
図４に示したように、中蓋１０の蝶着部９に相対する縁部１２の先端内部側には、中皿３の縁部に形成された係止部３ａに係止することが可能なフック１０ａが設けられている。また、中蓋１０の蝶着部９に相対する縁部１２には、操作片１３が薄肉部１４周りに揺動可能に設けられている。なお、操作片１３は、先端部１３ａ近傍を操作位置（指を掛ける位置）とするものである。
【００２３】
また、操作片１３には、中蓋１０が閉じられている際、先端部を容器本体１内側の底部（収容凹部８の底部）に当接させた状態で操作片１３を支持するつっかえ部１５が突設されている。また、つっかえ部１５においては、先端部に向かうにしたがって、断面形状が縁部１２外側に向かって反っているものである。また、つっかえ部１５においては、中蓋１０が閉じられている際、操作片１３の薄肉部１４近傍から容器本体１の底部に向けて鉛直方向に対して傾斜した状態で静止するようになっている。一方、操作片１３においては、中蓋１０が閉じられている際、つっかえ部１５により、蓋体２側へ向かって且つ鉛直方向に対して傾斜した状態で静止するようになっている。なお、中蓋１０、操作片１３、薄肉部１４及びつっかえ部１５は、樹脂製であり、一体形成されているものである。
【００２４】
ここで、図４及び図５を用いて、中蓋１０の開閉動作について説明する。まず、図４に示したように、操作片１３の先端部１３ａ付近に指を掛けて矢印方向に押す。これにより、つっかえ部１５の先端部と容器本体１内側の底部（収容凹部８の底部）とが接している位置を支点として、作用点となる薄肉部１４を介して縁部１２が中皿３の外側且つ上方に向かって斜めに引っ張られる。その結果として、図５に示したように、中皿３の縁部に形成された係止部３ａに係止されていたフック１０ａを解除することができるとともに中蓋１０を押し上げることができるので、容易に中蓋１０を開放することができる。一方、中蓋１０を閉じる際には、つっかえ部１５の先端部を容器本体１内側の底部（収容凹部８の底部）に接しさせるようにしつつ、係止部３ａにフック１０ａを係止すればよい。
【００２５】
上記構成によれば、つっかえ部１５と容器本体１内側の底部（収容凹部８の底部）とが接している位置を支点として、中蓋１０を押し上げることができるので、容易に中蓋１０を開放できる化粧料容器１００を提供できる。また、従来よりも簡易な構成であるので、より容易に製造できる化粧料容器１００を提供できる。
【００２６】
＜変形例＞
次に、上記実施形態の変形例に係る化粧料容器について、図６を用いて説明する。なお、本変形例の符号２１、２１ａ、２３、２３ａ、２６、２８、３０、３０ａ、３１ａ、３１ｂ、３２、３４、３５の部位と、上記実施形態の符号１、１ａ、３、３ａ、６、８、１０、１０ａ、１１ａ、１１ｂ、１２、１４、１５の部位とは、順に同様のものであるので、説明を省略することがある。また、本変形例において図示していない部分については、上記実施形態と同様であり、これらの部位についても説明を省略することがある。
【００２７】
本変形例に係る化粧料容器は、上記実施形態における操作片１３の代わりに、縁部３２の外側方向に突出したつば部３６を先端部に有した操作片３３を用いている点で、上記実施形態と異なっている。
【００２８】
上記構成によれば、操作片３３を操作する際、力を加える位置である力点としてつば部３６を利用できるので、図６に示した矢印方向に、操作片３３を上記実施形態の操作片１３に比べて容易に揺動させることができる。その結果として、上記実施形態よりも容易に中蓋３０を開放することができる。
【００２９】
なお、本発明は、特許請求の範囲を逸脱しない範囲で設計変更できるものであり、上記実施形態又は変形例に限定されるものではない。例えば、図示しないが、上記実施形態又は変形例において操作片１３、３３の薄肉部１４、３４付近から突設されているつっかえ部１５、３５の代わりに、操作片の途中又は操作片の先端部から容器本体内側の底部（収容凹部の底部）まで突設されているつっかえ部を用いてもよい。このとき、該つっかえ部の先端部と容器本体内側の底部（収容凹部の底部）とが接している位置を、中蓋を開放する際の支点とできるように、中蓋が閉じられている際のつっかえ部の静止位置を決定しておけばよい。
【００３０】
また、図示しないが、上記実施形態又は変形例において、つっかえ部１５、３５の先端部と容器本体１、２１内側の底部（収容凹部８、２８の底部）とが接している位置近傍の中皿３、２３側に、操作片１３、３３を操作した際のつっかえ部１５、３５先端部の滑りを防止するための凸部を設けてもよい。これにより、確実に、つっかえ部１５、３５の先端部と容器本体１、２１内側の底部（収容凹部８、２８の底部）とが接している位置を支点として操作片１３、３３を操作できるので、より確実に中蓋１０、３０を開放することができる。
【００３１】
また、図示しないが、上記実施形態におけるつっかえ部１５は、図２又は図４に示すように、断面が先端部に向かうにしたがって反っているものであるが、操作片の操作時に先端部を支点として利用できるのであれば、どのような断面形状であってもよい。
【００３２】
また、上記実施形態又は変形例におけるつっかえ部１５、３５は、可撓性のある樹脂又はゴムなどからなるものであってもよい。これにより、つっかえ部１５、３５が撓むように操作片１３、３３を揺動させることにより、つっかえ部１５、３５に反発力を発生させることができる。したがって、前記反発力を利用して中蓋１０、３０を押し上げることができるので、さらに容易に中蓋１０、３０を開放することができる。
【符号の説明】
【００３３】
１    容器本体
１ａ、１ｂ    孔
２    蓋体
３ａ、１８ａ    係止部
３    中皿
４    側壁
４ａ    フック部
５    収容凹部
６    側壁
７    化粧用パフ
８    収容凹部
９    蝶着部
９ａ、１６    枢軸
１０、３０    中蓋
１０ａ    フック
１１ａ    固定部材
１１ｂ    シール部材
１２、３２    縁部
１３、３３    操作片
１３ａ    先端部
１４    薄肉部
１５    つっかえ部
１７    鏡
１８    フックピース
１９    弾性部材
３６    つば部
１００    化粧料容器
【図１】
2010166958.tif 000003
【図２】
2010166958.tif 000004
【図３】
2010166958.tif 000005
【図４】
2010166958.tif 000006
【図５】
2010166958.tif 000007
【図６】
2010166958.tif 000008